(57)【特許請求の範囲】
【請求項１】
有線あるいは無線のネットワークに接続されこのネットワークからリアルタイムに送られてくるメディアであって視聴者が視聴を契約したコンテンツのみをその契約した視聴者に視聴させるための鍵情報を付加したスクランブルの施されたディジタル信号を受信するディジタル信号受信手段と、このディジタル信号受信手段によって受信したディジタル信号に対して自局の側で独自に視聴者ごとのコンテンツの視聴を制御するための視聴制御情報を多重する多重手段と、この多重手段によって多重された多重信号を自局から視聴者の設備までを結ぶネットワークに送出する多重信号送出手段とを備えた送信局と、
この送信局の多重信号送出手段の送出した多重信号を前記ネットワークを介して受信する多重信号受信手段と、この多重信号受信手段で受信した多重信号を復調した前記スクランブルの施されたディジタル信号を、デスクランブルするためのデスクランブル手段と、前記多重信号受信手段の受信した多重信号を復調した前記スクランブルの施されたディジタル信号から初期的には所定の受信データを基にして、その後は前記デスクランブル手段によってデスクランブルした後に得られた情報から鍵情報を周期的に抽出する鍵情報抽出手段と、前記多重信号受信手段の受信した多重信号を前記デスクランブル手段によってデスクランブルした後の情報から前記視聴制御情報を抽出する視聴制御情報抽出手段と、前記鍵情報抽出手段によって抽出した鍵情報を前記デスクランブル手段に供給してデスクランブルを実行させるデスクランブル実行手段と、前記視聴制御情報抽出手段によって抽出した視聴制御情報が視聴を可とする場合にのみデスクランブル後のコンテンツの再生のために復号を行う復号手段とを備えた視聴者設備
とを具備することを特徴とする視聴制御システム。
【請求項２】
リアルタイムに送られてくるメディアであって視聴者が視聴を契約した番組のみをその契約した視聴者に視聴させるための鍵情報を付加したスクランブルの施されたディジタル信号を受信するディジタル信号受信手段と、このディジタル信号受信手段によって受信したディジタル信号に対して自局の側で独自に視聴者ごとの番組の視聴を制御するための視聴制御情報を多重する多重手段と、この多重手段によって多重された多重信号を自局から視聴者の設備までを結ぶ伝送路に送出する多重信号送出手段とを備えたＣＡＴＶ局と、
このＣＡＴＶ局の多重信号送出手段の送出した多重信号を前記伝送路を介して受信する多重信号受信手段と、この多重信号受信手段で受信した多重信号を復調した前記スクランブルの施されたディジタル信号をデスクランブルするためのデスクランブル手段と、前記多重信号受信手段の受信した多重信号を復調した前記スクランブルの施されたディジタル信号から初期的には所定の受信データを基にして、その後は前記デスクランブル手段によってデスクランブルした後に得られた情報から鍵情報を周期的に抽出する鍵情報抽出手段と、前記多重信号受信手段の受信した多重信号を前記デスクランブル手段によってデスクランブルした後の情報から前記視聴制御情報を抽出する視聴制御情報抽出手段と、前記鍵情報抽出手段によって抽出した鍵情報を前記デスクランブル手段に供給してデスクランブルを実行させるデスクランブル実行手段と、前記視聴制御情報抽出手段によって抽出した視聴制御情報が視聴を可とする場合にのみデスクランブル後の番組の再生のために復号を行う復号手段とを備えた視聴者設備
とを具備することを特徴とする視聴制御システム。
【請求項３】
有線あるいは無線のネットワークに接続されこのネットワークからリアルタイムに送られてくるメディアであって視聴者が視聴を契約したコンテンツのみをその契約した視聴者に視聴させるための鍵情報を付加したスクランブルの施されたディジタル信号を受信するディジタル信号受信手段と、このディジタル信号受信手段によって受信したディジタル信号と自局の側で独自に視聴者ごとのコンテンツの視聴を制御するための視聴制御情報とを別々の周波数帯域に割り当て自局から視聴者の設備までを結ぶネットワークに送出する信号送出手段とを備えた送信局と、
この送信局の信号送出手段の送出した信号を前記ネットワークを介して受信する信号受信手段と、この信号受信手段で受信した信号から前記スクランブルの施されたディジタル信号と視聴制御情報を分離する信号分離手段と、この信号分離手段で分離した前記スクランブルの施されたディジタル信号をデスクランブルするためのデスクランブル手段と、前記信号分離手段で分離した前記スクランブルの施されたディジタル信号から初期的には所定の受信データを基にして、その後は前記デスクランブル手段によってデスクランブルした後に得られた情報から鍵情報を周期的に抽出する鍵情報抽出手段と、この鍵情報抽出手段によって抽出した鍵情報を前記デスクランブル手段に供給してデスクランブルを実行させるデスクランブル実行手段と、前記信号分離手段で分離した視聴制御情報が視聴を可とする場合にのみデスクランブル後のコンテンツの再生のために復号を行う復号手段とを備えた視聴者設備
とを具備することを特徴とする視聴制御システム。
【請求項４】
リアルタイムに送られてくるメディアであって視聴者が視聴を契約した番組のみをその契約した視聴者に視聴させるための鍵情報を付加したスクランブルの施されたディジタル信号を受信するディジタル信号受信手段と、このディジタル信号受信手段によって受信したディジタル信号と自局の側で独自に視聴者ごとの番組の視聴を制御するための視聴制御情報とを別々の周波数帯域に割り当て自局から視聴者の設備までを結ぶ伝送路に送出する信号送出手段とを備えたＣＡＴＶ局と、
このＣＡＴＶ局の信号送出手段の送出した信号を前記伝送路を介して受信する信号受信手段と、この信号受信手段で受信した信号から前記スクランブルの施されたディジタル信号と視聴制御情報を分離する信号分離手段と、この信号分離手段で分離した前記スクランブルの施されたディジタル信号をデスクランブルするためのデスクランブル手段と、前記信号分離手段で分離した前記スクランブルの施されたディジタル信号から初期的には所定の受信データを基にして、その後は前記デスクランブル手段によってデスクランブルした後に得られた情報から鍵情報を周期的に抽出する鍵情報抽出手段と、この前記鍵情報抽出手段によって抽出した鍵情報を前記デスクランブル手段に供給してデスクランブルを実行させるデスクランブル実行手段と、前記信号分離手段で分離した視聴制御情報が視聴を可とする場合にのみデスクランブル後の番組の再生のために復号を行う復号手段とを備えた視聴者設備
とを具備することを特徴とする視聴制御システム。
【請求項５】
有線あるいは無線のネットワークに接続されこのネットワークから送られてくるメディアであって視聴者が視聴を契約したコンテンツのみをその契約した視聴者に視聴させるための鍵情報を付加したスクランブルの施されたディジタル信号を受信するディジタル信号受信手段と、このディジタル信号受信手段によって受信したディジタル信号を蓄積するディジタル信号蓄積手段と、このディジタル信号蓄積手段から読み出したディジタル信号に対して自局の側で独自に視聴者ごとのコンテンツの視聴を制御するための視聴制御情報を多重する多重手段と、この多重手段によって多重された多重信号を自局から視聴者の設備までを結ぶネットワークに送出する多重信号送出手段とを備えた送信局と、
この送信局の多重信号送出手段の送出した多重信号を前記ネットワークを介して受信する多重信号受信手段と、この多重信号受信手段で受信した多重信号を復調した前記スクランブルの施されたディジタル信号を、デスクランブルするためのデスクランブル手段と、前記多重信号受信手段の受信した多重信号を復調した前記スクランブルの施されたディジタル信号から初期的には所定の受信データを基にして、その後は前記デスクランブル手段によってデスクランブルした後に得られた情報から鍵情報を周期的に抽出する鍵情報抽出手段と、前記多重信号受信手段の受信した多重信号を前記デスクランブル手段によってデスクランブルした後の情報から前記視聴制御情報を抽出する視聴制御情報抽出手段と、前記鍵情報抽出手段によって抽出した鍵情報を前記デスクランブル手段に供給してデスクランブルを実行させるデスクランブル実行手段と、前記視聴制御情報抽出手段によって抽出した視聴制御情報が視聴を可とする場合にのみデスクランブル後のコンテンツの再生のために復号を行う復号手段とを備えた視聴者設備
とを具備することを特徴とする視聴制御システム。
【請求項６】
メディアであって視聴者が視聴を契約した番組のみをその契約した視聴者に視聴させるための鍵情報を付加したスクランブルの施されたディジタル信号を受信するディジタル信号受信手段と、このディジタル信号受信手段によって受信したディジタル信号を蓄積するディジタル信号蓄積手段と、このディジタル信号蓄積手段から読み出したディジタル信号に対して自局の側で独自に視聴者ごとの番組の視聴を制御するための視聴制御情報を多重する多重手段と、この多重手段によって多重された多重信号を自局から視聴者の設備までを結ぶ伝送路に送出する多重信号送出手段とを備えたＣＡＴＶ局と、
このＣＡＴＶ局の多重信号送出手段の送出した多重信号を前記伝送路を介して受信する多重信号受信手段と、この多重信号受信手段で受信した多重信号を復調した前記スクランブルの施されたディジタル信号をデスクランブルするためのデスクランブル手段と、前記多重信号受信手段の受信した多重信号を復調した前記スクランブルの施されたディジタル信号から初期的には所定の受信データを基にして、その後は前記デスクランブル手段によってデスクランブルした後に得られた情報から鍵情報を周期的に抽出する鍵情報抽出手段と、前記多重信号受信手段の受信した多重信号を前記デスクランブル手段によってデスクランブルした後の情報から前記視聴制御情報を抽出する視聴制御情報抽出手段と、前記鍵情報抽出手段によって抽出した鍵情報を前記デスクランブル手段に供給してデスクランブルを実行させるデスクランブル実行手段と、前記視聴制御情報抽出手段によって抽出した視聴制御情報が視聴を可とする場合にのみデスクランブル後の番組の再生のために復号を行う復号手段とを備えた視聴者設備
とを具備することを特徴とする視聴制御システム。
【請求項７】
有線あるいは無線のネットワークに接続されこのネットワークから送られてくるメディアであって視聴者が視聴を契約したコンテンツのみをその契約した視聴者に視聴させるための鍵情報を付加したスクランブルの施されたディジタル信号を受信するディジタル信号受信手段と、このディジタル信号受信手段によって受信したディジタル信号を蓄積するディジタル信号蓄積手段と、このディジタル信号蓄積手段から読み出したディジタル信号と自局の側で独自に視聴者ごとのコンテンツの視聴を制御するための視聴制御情報とを別々の周波数帯域に割り当て自局から視聴者の設備までを結ぶネットワークに送出する信号送出手段とを備えた送信局と、
この送信局の信号送出手段の送出した信号を前記ネットワークを介して受信する信号受信手段と、この信号受信手段で受信した信号から前記スクランブルの施されたディジタル信号と視聴制御情報を分離する信号分離手段と、この信号分離手段で分離した前記スクランブルの施されたディジタル信号をデスクランブルするためのデスクランブル手段と、前記信号分離手段で分離した前記スクランブルの施されたディジタル信号から初期的には所定の受信データを基にして、その後は前記デスクランブル手段によってデスクランブルした後に得られた情報から鍵情報を周期的に抽出する鍵情報抽出手段と、この鍵情報抽出手段によって抽出した鍵情報を前記デスクランブル手段に供給してデスクランブルを実行させるデスクランブル実行手段と、前記信号分離手段で分離した視聴制御情報が視聴を可とする場合にのみデスクランブル後のコンテンツの再生のために復号を行う復号手段とを備えた視聴者設備
とを具備することを特徴とする視聴制御システム。
【請求項８】
メディアであって視聴者が視聴を契約した番組のみをその契約した視聴者に視聴させるための鍵情報を付加したスクランブルの施されたディジタル信号を受信するディジタル信号受信手段と、このディジタル信号受信手段によって受信したディジタル信号を蓄積するディジタル信号蓄積手段と、このディジタル信号蓄積手段から読み出したディジタル信号と自局の側で独自に視聴者ごとの番組の視聴を制御するための視聴制御情報とを別々の周波数帯域に割り当て自局から視聴者の設備までを結ぶ伝送路に送出する信号送出手段とを備えたＣＡＴＶ局と、
このＣＡＴＶ局の信号送出手段の送出した信号を前記伝送路を介して受信する信号受信手段と、この信号受信手段で受信した信号から前記スクランブルの施されたディジタル信号と視聴制御情報を分離する信号分離手段と、この信号分離手段で分離した前記スクランブルの施されたディジタル信号をデスクランブルするためのデスクランブル手段と、前記信号分離手段で分離した前記スクランブルの施されたディジタル信号から初期的には所定の受信データを基にして、その後は前記デスクランブル手段によってデスクランブルした後に得られた情報から鍵情報を周期的に抽出する鍵情報抽出手段と、この前記鍵情報抽出手段によって抽出した鍵情報を前記デスクランブル手段に供給してデスクランブルを実行させるデスクランブル実行手段と、前記信号分離手段で分離した視聴制御情報が視聴を可とする場合にのみデスクランブル後の番組の再生のために復号を行う復号手段とを備えた視聴者設備
とを具備することを特徴とする視聴制御システム。
【発明の詳細な説明】
【０００１】
【発明の属する技術分野】
本発明は番組の視聴制御システムに係わり、特にケーブルテレビ局が他局から供給を受けた番組について視聴制御を行う視聴制御システムに関する。
【０００２】
【従来の技術】
同軸ケーブルを使用して主にアナログ信号としてのテレビジョン信号を伝送していたケーブルテレビ（ＣＡＴＶ）局は、ＭＰＥＧ（Ｍｏｖｉｎｇ  Ｐｉｃｔｕｒｅ  Ｅｘｐｅｒｔｓ  Ｇｒｏｕｐ）２による情報圧縮技術の完成によりディジタル伝送路を使用した配信局として注目されてきている。すなわち、現在放送中あるいは放送の予定されているディジタル放送では、現状のテレビジョン放送の品質を確保したＭＰＥＧ２の技術が使用されるようになっている。
【０００３】
ＭＰＥＧ２は、離散コサイン変換と動き補償予測の組み合わせを基本としたＭＰＥＧ１をベースとしている。そして、現行のテレビジョンから高解像度テレビジョンの領域をカバーした画質に対応できるようにプロファイルと呼ばれる５種類の機能セットを定義している。また、伝送にはトランポート・ストリーム（ＴＳ）構造のＴＳパケットを使用している。このＴＳパケットでは、トランポート・スクランブル制御と呼ばれる２ビットの情報でスクランブル（暗号化）の有無と鍵の種類を規定している。
【０００４】
ところで、このＭＰＥＧ２を使用したシステム（以下、単にＭＰＥＧシステムという。）をＣＡＴＶに応用する場合には、視聴者がＣＡＴＶ局を介して他の放送事業者のメディアを再送信させる場合を考慮する必要がある。ＣＡＴＶという伝送路を仲介して各視聴者がこれらの放送事業者のメディアを受信する際に、これらの放送事業者の送信権を確保して、有料の送信データについては料金の支払を契約した視聴者のみに視聴させる必要があるからである。そこで、ＭＰＥＧシステムでは、送信データに組み込まれている番組配列情報と呼ばれる番組制御情報を使用して番組に対する各視聴者の視聴制御を行っている。また、映像や音声等の番組を構成する情報としての番組要素信号には、有料放送等の視聴者を制限する番組（コンテンツ）に対してスクランブルを施すことによって、セキュリティを確保するようにしている。
【０００５】
そこで、他の放送事業者のメディアをディジタル信号として再送信する際のＣＡＴＶ局側の採りうる措置は次の２つに大きく分けることができる。１つの手法は、ＣＡＴＶ局側が他の放送事業者のメディアのディジタル放送を一旦すべてデスクランブルしてしまい、新たにそのＣＡＴＶ局として特定のチャネルにスクランブルを施すと共に番組制御情報を付加して個々の視聴者のこれらの他の放送事業者のメディアに対する視聴制御を行うというものである。他の手法は、ＣＡＴＶ局側が他の放送事業者のメディアのディジタル放送のＴＳパケットに対してＣＡＴＶ局の伝送路に送り出すための変調のみを施すというものである。特開平１１−１５０７１９号公報にはこの後者の技術が開示されている。この公報に記載された技術では、ディジタル地上放送をＣＡＴＶで再送信する場合に、このディジタル地上放送を復調して、６４ＱＡＭ変調を行わずにＣＡＴＶ局が再送信を希望するチャネルに周波数変換を行うだけで送出するようにしている。
【０００６】
【発明が解決しようとする課題】
前者の手法では、放送事業者が施したスクランブルを解読するだけでなく、放送事業者が個々の視聴者に対して設定した視聴制御のための情報を、ＣＡＴＶ局側の視聴制御情報に置き換え、またＣＡＴＶ局自体で特定の番組についてスクランブルを施す必要がある。したがって、ＣＡＴＶ局側の負担が大幅に増えるために設備に要する費用が掛かるという問題がある。また、後者の手法ではＣＡＴＶ局側は単に自局の伝送路を放送事業者のメディアの配信のために使用させるだけのものとなり、自分の局に対する利用料金の支払を行っていない視聴者に利用を制限するといったようなＣＡＴＶ局独自の加入者管理を行うことができないという問題があった。
【０００７】
そこで本発明の目的は、ディジタル信号として送られてくる他のメディアに対して独自の視聴制御を行う場合に再送信する送信局あるいはＣＡＴＶ局側の負担を軽減できる視聴制御システムを実現することにある。
【０００８】
【課題を解決するための手段】
請求項１記載の発明では、（イ）有線あるいは無線のネットワークに接続されこのネットワークからリアルタイムに送られてくるメディアであって視聴者が視聴を契約したコンテンツのみをその契約した視聴者に視聴させるための鍵情報を付加したスクランブルの施されたディジタル信号を受信するディジタル信号受信手段と、このディジタル信号受信手段によって受信したディジタル信号に対して自局の側で独自に視聴者ごとのコンテンツの視聴を制御するための視聴制御情報を多重する多重手段と、この多重手段によって多重された多重信号を自局から視聴者の設備までを結ぶネットワークに送出する多重信号送出手段とを備えた送信局と、（ロ）この送信局の多重信号送出手段の送出した多重信号をネットワークを介して受信する多重信号受信手段と、この多重信号受信手段で受信した多重信号を復調したスクランブルの施されたディジタル信号を、デスクランブルするためのデスクランブル手段と、多重信号受信手段の受信した多重信号を復調したスクランブルの施されたディジタル信号から初期的には所定の受信データを基にして、その後はデスクランブル手段によってデスクランブルした後に得られた情報から鍵情報を周期的に抽出する鍵情報抽出手段と、多重信号受信手段の受信した多重信号をデスクランブル手段によってデスクランブルした後の情報から視聴制御情報を抽出する視聴制御情報抽出手段と、鍵情報抽出手段によって抽出した鍵情報をデスクランブル手段に供給してデスクランブルを実行させるデスクランブル実行手段と、視聴制御情報抽出手段によって抽出した視聴制御情報が視聴を可とする場合にのみデスクランブル後のコンテンツの再生のために復号を行う復号手段とを備えた視聴者設備とを視聴制御システムに具備させる。
【０００９】
すなわち請求項１記載の発明では、有線あるいは無線のネットワークに接続された送信局が、ネットワークからリアルタイムに送られてくるメディアであって視聴者が視聴を契約したコンテンツのみをその契約した視聴者に視聴させるための鍵情報を付加したスクランブルの施されたディジタル信号を受信して視聴者設備に対して再送信するとき、そのディジタル信号の内容自体は加工せず自局の側で独自に視聴者ごとのコンテンツの視聴を制御するための視聴制御情報を多重して視聴者設備との間を結ぶネットワークに送出するようにしている。そして、視聴者設備側でスクランブルの施されたディジタル信号を鍵情報によってデスクランブルする一方、視聴制御情報抽出手段によって抽出した視聴制御情報が視聴を可とする場合にのみデスクランブル後のコンテンツの再生のために復号を行うことにして、映像や音等のコンテンツの再生についての視聴制御を視聴者設備側で行わせるようにした。ここで、鍵情報抽出手段は、多重信号受信手段の受信した多重信号を復調したスクランブルの施されたディジタル信号から初期的には所定の受信データを基にして、その後はデスクランブル手段によってデスクランブルした後に得られた情報から鍵情報を周期的に抽出することになる。したがって、送信局側はスクランブルの施されたコンテンツを一様にデスクランブルした後に視聴者の契約に応じて再度スクランブルする必要がなく、送信局側の負担を軽減することができる。またコンテンツの内容自体を送信局側が何ら変更しないので、仲介者の存在による品質の劣化がなく、また送信局側で再度スクランブルを施す必要がないので、スクランブルを施す対象を特定する手間が不要であり、また特定の際のミスの発生を防止することができる。
【００１２】
請求項２記載の発明では、（イ）リアルタイムに送られてくるメディアであって視聴者が視聴を契約した番組のみをその契約した視聴者に視聴させるための鍵情報を付加したスクランブルの施されたディジタル信号を受信するディジタル信号受信手段と、このディジタル信号受信手段によって受信したディジタル信号に対して自局の側で独自に視聴者ごとの番組の視聴を制御するための視聴制御情報を多重する多重手段と、この多重手段によって多重された多重信号を自局から視聴者の設備までを結ぶ伝送路に送出する多重信号送出手段とを備えたＣＡＴＶ局と、（ロ）このＣＡＴＶ局の多重信号送出手段の送出した多重信号を伝送路を介して受信する多重信号受信手段と、この多重信号受信手段で受信した多重信号を復調したスクランブルの施されたディジタル信号をデスクランブルするためのデスクランブル手段と、多重信号受信手段の受信した多重信号を復調したスクランブルの施されたディジタル信号から初期的には所定の受信データを基にして、その後はデスクランブル手段によってデスクランブルした後に得られた情報から鍵情報を周期的に抽出する鍵情報抽出手段と、多重信号受信手段の受信した多重信号をデスクランブル手段によってデスクランブルした後の情報から視聴制御情報を抽出する視聴制御情報抽出手段と、鍵情報抽出手段によって抽出した鍵情報をデスクランブル手段に供給してデスクランブルを実行させるデスクランブル実行手段と、視聴制御情報抽出手段によって抽出した視聴制御情報が視聴を可とする場合にのみデスクランブル後の番組の再生のために復号を行う復号手段とを備えた視聴者設備とを視聴制御システムに具備させる。
【００１３】
すなわち請求項２記載の発明では、ＣＡＴＶ局が、リアルタイムに送られてくるメディアであって視聴者が視聴を契約した番組のみをその契約した視聴者に視聴させるための鍵情報を付加したスクランブルの施されたディジタル信号を受信して視聴者設備に対して再送信するとき、そのディジタル信号の内容自体は加工せずＣＡＴＶ局の側で独自に視聴者ごとの番組の視聴を制御するための視聴制御情報を多重して視聴者設備との間を結ぶ伝送路に送出するようにしている。そして、視聴者設備側でスクランブルの施されたディジタル信号を鍵情報によってデスクランブルする一方、視聴制御情報抽出手段によって抽出した視聴制御情報が視聴を可とする場合にのみデスクランブル後の番組の再生のために復号を行うことにして、映像や音等の番組の再生についての視聴制御を視聴者設備側で行わせるようにした。したがって、ＣＡＴＶ局側はスクランブルの施された番組を一様にデスクランブルした後に視聴者の契約に応じて再度スクランブルする必要がなく、ＣＡＴＶ局側の負担を軽減することができる。また番組の内容自体をＣＡＴＶ局側が何ら変更しないので、仲介者の存在による品質の劣化がなく、またＣＡＴＶ局側で再度スクランブルを施す必要がないので、スクランブルを施す対象を特定する手間が不要であり、また特定の際のミスの発生を防止することができる。
【００１６】
請求項３記載の発明では、（イ）有線あるいは無線のネットワークに接続されこのネットワークからリアルタイムに送られてくるメディアであって視聴者が視聴を契約したコンテンツのみをその契約した視聴者に視聴させるための鍵情報を付加したスクランブルの施されたディジタル信号を受信するディジタル信号受信手段と、このディジタル信号受信手段によって受信したディジタル信号と自局の側で独自に視聴者ごとのコンテンツの視聴を制御するための視聴制御情報とを別々の周波数帯域に割り当て自局から視聴者の設備までを結ぶネットワークに送出する信号送出手段とを備えた送信局と、（ロ）この送信局の信号送出手段の送出した信号をネットワークを介して受信する信号受信手段と、この信号受信手段で受信した信号からスクランブルの施されたディジタル信号と視聴制御情報を分離する信号分離手段と、この信号分離手段で分離したスクランブルの施されたディジタル信号をデスクランブルするためのデスクランブル手段と、信号分離手段で分離したスクランブルの施されたディジタル信号から初期的には所定の受信データを基にして、その後はデスクランブル手段によってデスクランブルした後に得られた情報から鍵情報を周期的に抽出する鍵情報抽出手段と、この鍵情報抽出手段によって抽出した鍵情報をデスクランブル手段に供給してデスクランブルを実行させるデスクランブル実行手段と、信号分離手段で分離した視聴制御情報が視聴を可とする場合にのみデスクランブル後のコンテンツの再生のために復号を行う復号手段とを備えた視聴者設備とを視聴制御システムに具備させる。
【００１７】
すなわち請求項３記載の発明では、有線あるいは無線のネットワークに接続された送信局が、ネットワークからリアルタイムに送られてくるメディアであって視聴者が視聴を契約したコンテンツのみをその契約した視聴者に視聴させるための鍵情報を付加したスクランブルの施されたディジタル信号を受信して視聴者設備に対して再送信するとき、そのディジタル信号の内容自体は加工せず自局の側で独自に視聴者ごとのコンテンツの視聴を制御するための視聴制御情報とを別々の周波数帯域に割り当てて、視聴者設備との間を結ぶネットワークに送出するようにしている。そして、視聴者設備側でスクランブルの施されたディジタル信号を鍵情報によってデスクランブルする一方、視聴制御情報抽出手段によって抽出した視聴制御情報が視聴を可とする場合にのみデスクランブル後のコンテンツの再生のために復号を行うことにして、映像や音等のコンテンツの再生についての視聴制御を視聴者設備側で行わせるようにした。したがって、送信局側はスクランブルの施されたコンテンツを一様にデスクランブルした後に視聴者の契約に応じて再度スクランブルする必要がなく、送信局側の負担を軽減することができる。またコンテンツの内容自体を送信局側が何ら変更しないので、仲介者の存在による品質の劣化がなく、また送信局側で再度スクランブルを施す必要がないので、スクランブルを施す対象を特定する手間が不要であり、また特定の際のミスの発生を防止することができる。
【００２０】
請求項４記載の発明では、（イ）リアルタイムに送られてくるメディアであって視聴者が視聴を契約した番組のみをその契約した視聴者に視聴させるための鍵情報を付加したスクランブルの施されたディジタル信号を受信するディジタル信号受信手段と、このディジタル信号受信手段によって受信したディジタル信号と自局の側で独自に視聴者ごとの番組の視聴を制御するための視聴制御情報とを別々の周波数帯域に割り当て自局から視聴者の設備までを結ぶ伝送路に送出する信号送出手段とを備えたＣＡＴＶ局と、（ロ）このＣＡＴＶ局の信号送出手段の送出した信号を伝送路を介して受信する信号受信手段と、この信号受信手段で受信した信号からスクランブルの施されたディジタル信号と視聴制御情報を分離する信号分離手段と、この信号分離手段で分離したスクランブルの施されたディジタル信号をデスクランブルするためのデスクランブル手段と、信号分離手段で分離したスクランブルの施されたディジタル信号から初期的には所定の受信データを基にして、その後はデスクランブル手段によってデスクランブルした後に得られた情報から鍵情報を周期的に抽出する鍵情報抽出手段と、この鍵情報抽出手段によって抽出した鍵情報をデスクランブル手段に供給してデスクランブルを実行させるデスクランブル実行手段と、信号分離手段で分離した視聴制御情報が視聴を可とする場合にのみデスクランブル後の番組の再生のために復号を行う復号手段とを備えた視聴者設備とを視聴制御システムに具備させる。
【００２１】
すなわち請求項４記載の発明では、ＣＡＴＶ局が、リアルタイムに送られてくるメディアであって視聴者が視聴を契約した番組のみをその契約した視聴者に視聴させるための鍵情報を付加したスクランブルの施されたディジタル信号を受信して視聴者設備に対して再送信するとき、そのディジタル信号の内容自体は加工せず受信したディジタル信号とＣＡＴＶ局の側で独自に視聴者ごとの番組の視聴を制御するための視聴制御情報とを別々の周波数帯域に割り当て自局から視聴者の設備までを結ぶ伝送路に送出するようにしている。そして、視聴者設備側でスクランブルの施されたディジタル信号を鍵情報によってデスクランブルする一方、視聴制御情報抽出手段によって抽出した視聴制御情報が視聴を可とする場合にのみデスクランブル後の番組の再生のために復号を行うことにして、映像や音等の番組の再生についての視聴制御を視聴者設備側で行わせるようにした。したがって、ＣＡＴＶ局側はスクランブルの施された番組を一様にデスクランブルした後に視聴者の契約に応じて再度スクランブルする必要がなく、ＣＡＴＶ局側の負担を軽減することができる。また番組の内容自体をＣＡＴＶ局側が何ら変更しないので、仲介者の存在による品質の劣化がなく、またＣＡＴＶ局側で再度スクランブルを施す必要がないので、スクランブルを施す対象を特定する手間が不要であり、また特定の際のミスの発生を防止することができる。
【００２４】
請求項５記載の発明では、（イ）有線あるいは無線のネットワークに接続されこのネットワークから送られてくるメディアであって視聴者が視聴を契約したコンテンツのみをその契約した視聴者に視聴させるための鍵情報を付加したスクランブルの施されたディジタル信号を受信するディジタル信号受信手段と、このディジタル信号受信手段によって受信したディジタル信号を蓄積するディジタル信号蓄積手段と、このディジタル信号蓄積手段から読み出したディジタル信号に対して自局の側で独自に視聴者ごとのコンテンツの視聴を制御するための視聴制御情報を多重する多重手段と、この多重手段によって多重された多重信号を自局から視聴者の設備までを結ぶネットワークに送出する多重信号送出手段とを備えた送信局と、（ロ）この送信局の多重信号送出手段の送出した多重信号をネットワークを介して受信する多重信号受信手段と、この多重信号受信手段で受信した多重信号を復調したスクランブルの施されたディジタル信号を、デスクランブルするためのデスクランブル手段と、多重信号受信手段の受信した多重信号を復調したスクランブルの施されたディジタル信号から初期的には所定の受信データを基にして、その後はデスクランブル手段によってデスクランブルした後に得られた情報から鍵情報を周期的に抽出する鍵情報抽出手段と、多重信号受信手段の受信した多重信号をデスクランブル手段によってデスクランブルした後の情報から視聴制御情報を抽出する視聴制御情報抽出手段と、鍵情報抽出手段によって抽出した鍵情報をデスクランブル手段に供給してデスクランブルを実行させるデスクランブル実行手段と、視聴制御情報抽出手段によって抽出した視聴制御情報が視聴を可とする場合にのみデスクランブル後のコンテンツの再生のために復号を行う復号手段とを備えた視聴者設備とを視聴制御システムに具備させる。
【００２５】
すなわち請求項５記載の発明では、有線あるいは無線のネットワークに接続された送信局が、ネットワークから送られてくるメディアであって視聴者が視聴を契約したコンテンツのみをその契約した視聴者に視聴させるための鍵情報を付加したスクランブルの施されたディジタル信号を受信して一旦蓄積した後に視聴者設備に対して再送信するとき、そのディジタル信号の内容自体は加工せず自局の側で独自に視聴者ごとのコンテンツの視聴を制御するための視聴制御情報を多重して視聴者設備との間を結ぶネットワークに送出するようにしている。そして、視聴者設備側でスクランブルの施されたディジタル信号を鍵情報によってデスクランブルする一方、視聴制御情報抽出手段によって抽出した視聴制御情報が視聴を可とする場合にのみデスクランブル後のコンテンツの再生のために復号を行うことにして、映像や音等のコンテンツの再生についての視聴制御を視聴者設備側で行わせるようにした。したがって、送信局側はスクランブルの施されたコンテンツを一様にデスクランブルした後に視聴者の契約に応じて再度スクランブルする必要がなく、送信局側の負担を軽減することができる。またコンテンツの内容自体を送信局側が何ら変更しないので、仲介者の存在による品質の劣化がなく、また送信局側で再度スクランブルを施す必要がないので、スクランブルを施す対象を特定する手間が不要であり、また特定の際のミスの発生を防止することができる。
【００２８】
請求項６記載の発明では、（イ）メディアであって視聴者が視聴を契約した番組のみをその契約した視聴者に視聴させるための鍵情報を付加したスクランブルの施されたディジタル信号を受信するディジタル信号受信手段と、このディジタル信号受信手段によって受信したディジタル信号を蓄積するディジタル信号蓄積手段と、このディジタル信号蓄積手段から読み出したディジタル信号に対して自局の側で独自に視聴者ごとの番組の視聴を制御するための視聴制御情報を多重する多重手段と、この多重手段によって多重された多重信号を自局から視聴者の設備までを結ぶ伝送路に送出する多重信号送出手段とを備えたＣＡＴＶ局と、（ロ）このＣＡＴＶ局の多重信号送出手段の送出した多重信号を伝送路を介して受信する多重信号受信手段と、この多重信号受信手段で受信した多重信号を復調したスクランブルの施されたディジタル信号をデスクランブルするためのデスクランブル手段と、多重信号受信手段の受信した多重信号を復調したスクランブルの施されたディジタル信号から初期的には所定の受信データを基にして、その後はデスクランブル手段によってデスクランブルした後に得られた情報から鍵情報を周期的に抽出する鍵情報抽出手段と、多重信号受信手段の受信した多重信号をデスクランブル手段によってデスクランブルした後の情報から視聴制御情報を抽出する視聴制御情報抽出手段と、鍵情報抽出手段によって抽出した鍵情報をデスクランブル手段に供給してデスクランブルを実行させるデスクランブル実行手段と、視聴制御情報抽出手段によって抽出した視聴制御情報が視聴を可とする場合にのみデスクランブル後の番組の再生のために復号を行う復号手段とを備えた視聴者設備とを視聴制御システムに具備させる。
【００２９】
すなわち請求項６記載の発明では、ＣＡＴＶ局が、メディアであって視聴者が視聴を契約した番組のみをその契約した視聴者に視聴させるための鍵情報を付加したスクランブルの施されたディジタル信号を受信して一旦蓄積した後に視聴者設備に対して再送信するとき、そのディジタル信号の内容自体は加工せずＣＡＴＶ局の側で独自に視聴者ごとの番組の視聴を制御するための視聴制御情報を多重して視聴者設備との間を結ぶ伝送路に送出するようにしている。そして、視聴者設備側でスクランブルの施されたディジタル信号を鍵情報によってデスクランブルする一方、視聴制御情報抽出手段によって抽出した視聴制御情報が視聴を可とする場合にのみデスクランブル後の番組の再生のために復号を行うことにして、映像や音等の番組の再生についての視聴制御を視聴者設備側で行わせるようにした。したがって、ＣＡＴＶ局側はスクランブルの施された番組を一様にデスクランブルした後に視聴者の契約に応じて再度スクランブルする必要がなく、ＣＡＴＶ局側の負担を軽減することができる。また番組の内容自体をＣＡＴＶ局側が何ら変更しないので、仲介者の存在による品質の劣化がなく、またＣＡＴＶ局側で再度スクランブルを施す必要がないので、スクランブルを施す対象を特定する手間が不要であり、また特定の際のミスの発生を防止することができる。
【００３２】
請求項７記載の発明では、（イ）有線あるいは無線のネットワークに接続されこのネットワークから送られてくるメディアであって視聴者が視聴を契約したコンテンツのみをその契約した視聴者に視聴させるための鍵情報を付加したスクランブルの施されたディジタル信号を受信するディジタル信号受信手段と、このディジタル信号受信手段によって受信したディジタル信号を蓄積するディジタル信号蓄積手段と、このディジタル信号蓄積手段から読み出したディジタル信号と自局の側で独自に視聴者ごとのコンテンツの視聴を制御するための視聴制御情報とを別々の周波数帯域に割り当て自局から視聴者の設備までを結ぶネットワークに送出する信号送出手段とを備えた送信局と、（ロ）この送信局の信号送出手段の送出した信号をネットワークを介して受信する信号受信手段と、この信号受信手段で受信した信号からスクランブルの施されたディジタル信号と視聴制御情報を分離する信号分離手段と、この信号分離手段で分離したスクランブルの施されたディジタル信号をデスクランブルするためのデスクランブル手段と、信号分離手段で分離したスクランブルの施されたディジタル信号から初期的には所定の受信データを基にして、その後はデスクランブル手段によってデスクランブルした後に得られた情報から鍵情報を周期的に抽出する鍵情報抽出手段と、この鍵情報抽出手段によって抽出した鍵情報をデスクランブル手段に供給してデスクランブルを実行させるデスクランブル実行手段と、信号分離手段で分離した視聴制御情報が視聴を可とする場合にのみデスクランブル後のコンテンツの再生のために復号を行う復号手段とを備えた視聴者設備とを視聴制御システムに具備させる。
【００３３】
すなわち請求項７記載の発明では、有線あるいは無線のネットワークに接続された送信局が、ネットワークから送られてくるメディアであって視聴者が視聴を契約したコンテンツのみをその契約した視聴者に視聴させるための鍵情報を付加したスクランブルの施されたディジタル信号を受信して一旦蓄積した後に視聴者設備に対して再送信するとき、そのディジタル信号の内容自体は加工せず蓄積したディジタル信号と自局の側で独自に視聴者ごとのコンテンツの視聴を制御するための視聴制御情報とを別々の周波数帯域に割り当てて、視聴者設備との間を結ぶネットワークに送出するようにしている。そして、視聴者設備側でスクランブルの施されたディジタル信号を鍵情報によってデスクランブルする一方、視聴制御情報抽出手段によって抽出した視聴制御情報が視聴を可とする場合にのみデスクランブル後のコンテンツの再生のために復号を行うことにして、映像や音等のコンテンツの再生についての視聴制御を視聴者設備側で行わせるようにした。したがって、送信局側はスクランブルの施されたコンテンツを一様にデスクランブルした後に視聴者の契約に応じて再度スクランブルする必要がなく、送信局側の負担を軽減することができる。またコンテンツの内容自体を送信局側が何ら変更しないので、仲介者の存在による品質の劣化がなく、また送信局側で再度スクランブルを施す必要がないので、スクランブルを施す対象を特定する手間が不要であり、また特定の際のミスの発生を防止することができる。
【００３６】
請求項８記載の発明では、（イ）メディアであって視聴者が視聴を契約した番組のみをその契約した視聴者に視聴させるための鍵情報を付加したスクランブルの施されたディジタル信号を受信するディジタル信号受信手段と、このディジタル信号受信手段によって受信したディジタル信号を蓄積するディジタル信号蓄積手段と、このディジタル信号蓄積手段から読み出したディジタル信号と自局の側で独自に視聴者ごとの番組の視聴を制御するための視聴制御情報とを別々の周波数帯域に割り当て自局から視聴者の設備までを結ぶ伝送路に送出する信号送出手段とを備えたＣＡＴＶ局と、（ロ）このＣＡＴＶ局の信号送出手段の送出した信号を伝送路を介して受信する信号受信手段と、この信号受信手段で受信した信号からスクランブルの施されたディジタル信号と視聴制御情報を分離する信号分離手段と、この信号分離手段で分離したスクランブルの施されたディジタル信号をデスクランブルするためのデスクランブル手段と、信号分離手段で分離したスクランブルの施されたディジタル信号から初期的には所定の受信データを基にして、その後はデスクランブル手段によってデスクランブルした後に得られた情報から鍵情報を周期的に抽出する鍵情報抽出手段と、この鍵情報抽出手段によって抽出した鍵情報をデスクランブル手段に供給してデスクランブルを実行させるデスクランブル実行手段と、信号分離手段で分離した視聴制御情報が視聴を可とする場合にのみデスクランブル後の番組の再生のために復号を行う復号手段とを備えた視聴者設備とを視聴制御システムに具備させる。
【００３７】
すなわち請求項８記載の発明では、ＣＡＴＶ局が、メディアであって視聴者が視聴を契約した番組のみをその契約した視聴者に視聴させるための鍵情報を付加したスクランブルの施されたディジタル信号を受信して一旦蓄積した後に視聴者設備に対して再送信するとき、そのディジタル信号の内容自体は加工せず蓄積したディジタル信号とＣＡＴＶ局の側で独自に視聴者ごとの番組の視聴を制御するための視聴制御情報とを別々の周波数帯域に割り当て自局から視聴者の設備までを結ぶ伝送路に送出するようにしている。そして、視聴者設備側でスクランブルの施されたディジタル信号を鍵情報によってデスクランブルする一方、視聴制御情報抽出手段によって抽出した視聴制御情報が視聴を可とする場合にのみデスクランブル後の番組の再生のために復号を行うことにして、映像や音等の番組の再生についての視聴制御を視聴者設備側で行わせるようにした。したがって、ＣＡＴＶ局側はスクランブルの施された番組を一様にデスクランブルした後に視聴者の契約に応じて再度スクランブルする必要がなく、ＣＡＴＶ局側の負担を軽減することができる。また番組の内容自体をＣＡＴＶ局側が何ら変更しないので、仲介者の存在による品質の劣化がなく、またＣＡＴＶ局側で再度スクランブルを施す必要がないので、スクランブルを施す対象を特定する手間が不要であり、また特定の際のミスの発生を防止することができる。
【００４０】
【発明の実施の形態】
【００４１】
【実施例】
以下実施例につき本発明を詳細に説明する。
【００４２】
図１は本発明の一実施例におけるＣＡＴＶ視聴制御システムの概要を表わしたものである。このシステムは、ＣＡＴＶ局１０１と、タップオフ１０２を介して光ファイバ等の伝送路１０３と接続された視聴者設備１０４１……１０４Ｎと、衛星を使用した番組供給業者としてのＢＳ放送局１０６とＣＳ放送局１０７等から構成されている。ここで、ＢＳ放送局１０６は放送衛星１１１を使用してデータをＣＡＴＶ局１０１のＢＳ用受信アンテナ１１２に送信する局であり、ＣＳ放送局１０７は通信衛星１１３を使用してデータをＣＡＴＶ局１０１のＣＳ用受信アンテナ１１４に送信する局である。
【００４３】
ＣＡＴＶ局１０１は、地上波受信アンテナ１１５も備えており、これらによって受信されたＴＶ（テレビジョン）放送１１７や音声放送１１８あるいは自主制作した番組、ゲーム等の情報を混合・変調部１１９で混合すると共に変調し、送受信器１２０を介して伝送路１０３に送出するようにしている。視聴者設備１０４１……１０４Ｎは、タップオフ１０２から分岐した伝送路１２２の図示しない保安器に接続されたホームターミナル１２３と、このホームターミナル１２３に接続されたテレビジョン等のモニタ１２４から構成されている。本実施例では、ＢＳ放送局１０６およびＣＳ放送局１０７が送出したディジタル放送波をＣＡＴＶ局１０１が受信してディジタル信号として再送信する場合を扱っている。
【００４４】
図２は、ＣＡＴＶ局の回路構成をより具体的に表わしたものである。ここでは説明を簡単にするためにＢＳ放送局１０６から受信されるデータが１ストリームの場合を例にとり、図示している。ＢＳ用受信アンテナ１１２から得られたディジタル放送波は受信器１３２に入力され、選択復調されてＭＰＥＧ２のトランポート・ストリームに復号される。この復号されたトランポート・ストリーム１３３は混合・変調部１１９を構成する多重化器１３４の一方の入力端子に供給される。多重化器１３４の他方の入力端子に接続された送信側制御部１３５は、加入者の契約情報を基にして視聴制御情報を生成し、これをＭＰＥＧ２のトランポート・ストリームパケット（ＴＳＰ）の形式に変換する。多重化器１３４は、この変換された視聴制御情報１３６と放送波としてのトランポート・ストリーム１３３を多重化して、多重化信号１３８を変調器１３９に送出する。変調器１３９は、多重化信号１３８に対してＣＡＴＶ用の伝送路符号化とたとえば６メガヘルツの周波数帯域で規定されたそれぞれの伝送チャネルに対応した変調を施して、送受信器１２０を構成する送信器１４１から多重化信号１５０として伝送路１０３に送り出すことになる。
【００４５】
なお、ＣＳ放送局１０７が送出したディジタル放送波は、これをトランポート・ストリームに復号した後、その１チャネル分を６メガヘルツの周波数帯域に割り当てることができる。たとえばＣＡＴＶ用の伝送路１０３の９０メガヘルツから７５０メガヘルツの周波数の中で、６メガヘルツ単位でこのような周波数の割り当てが行われる。ＣＳ放送局１０７と異なりＢＳ放送局１０６の送出したディジタル放送波の場合には、その１チャネルのトランポート・ストリームの２分の１しか６メガヘルツの周波数帯域に割り当てることができない。そこで、ＢＳ放送局１０６の送出したディジタル放送波の場合にはその１チャネル分を伝送路１０３における２チャネル分の空きチャネル（６メガヘルツの周波数帯域）を選択して、それぞれに周波数を変調して伝送路１０３に送出することになる。
【００４６】
図３はホームターミナル側の構成を表わしたものである。図１に示したホームターミナル１２３では前記した保安器を経たＣＡＴＶの伝送路１５１から多重化信号１５０を受信して復調器１５２に入力する。復調器１５２は、選局復調と伝送路復号化を行う。復調器１５２を経た信号１５３はデスクランブラ１５４に送られる。デスクランブラ１５４は、受信側制御部１５５から順次周期的に送られてくる鍵情報１５６によって、暗号の切り替えに対応させて鍵を変えながら信号１５３をデスクランブル処理する。この際の基となる鍵のデスクランブルは、図示しないＩＣカードが受信したパケットを基にして行われる。デスクランブラ１５４によって処理された信号１５７は分離器１５８に入力される。分離器１５８は受信側制御部１５５の制御によって、入力された信号１５７を番組要素信号１５９と番組制御情報１６１とに分離する。ここで番組要素信号１５９とは映像や音声等の番組を構成する情報をいう。番組制御情報１６１は、図２の送信側制御部１３５から出力された視聴制御情報の他に鍵情報も含んでいる。このうちの番組要素信号１５９は復号器１６２に送られて、映像、音声等のベースバンド信号１６３に復号される。ベースバンド信号１６３はホームターミナル１２３から図１に示したテレビジョン等のモニタ１２４に入力されて映像や音声の再生が行われる。
【００４７】
以上、ＢＳ放送局１０６からのディジタル放送波を受信する場合を示したが、ＣＳ放送局１０７からディジタル放送波を受信する場合の回路動作も実質的に同一なのでその回路動作の説明を省略する。
【００４８】
このようなＣＡＴＶ視聴制御システムで、たとえば図１に示す視聴者設備１０４１を所有する視聴者ＡがＣＡＴＶ局１０１を介して特定のＢＳ放送局１０６の番組を視聴する契約を行っていたとする。この場合、ＢＳ放送局１０６は視聴者Ａがデスクランブルすることのできる鍵情報を組み込んでディジタル放送波を送出する。このディジタル放送波は放送衛星１１１を介してＣＡＴＶ局１０１のＢＳ用受信アンテナ１１２で受信される。
【００４９】
ＣＡＴＶ局１０１の受信したディジタル放送波は、ＭＰＥＧ２方式に則った形式の番組要素信号と、番組の選択やデスクランブル処理を行うための番組制御情報が含まれている。受信器１３２は選択復調してＭＰＥＧ２によるトランポート・ストリームに復号する。そしてこれを多重化器１３４の一方の入力端子に供給する。したがって、ＣＡＴＶ局１０１では受信したディジタル放送波を一度デスクランブルして、ＣＡＴＶ局独自のスクランブル処理を施すといった処理は行わない。
【００５０】
ＣＡＴＶ局１０１は、その局独自に各視聴者の視聴を制御するための視聴制御情報を生成する。たとえば、特定のＣＳ放送局１０７を視聴者Ａが直接契約しており、視聴者自身が自宅の屋上等に設置するアンテナでこれを直接受信できるものとする。この場合、この視聴者ＡがＣＡＴＶ局１０１に加入していたとしても、このＣＡＴＶ局１０１を介してそのＣＳ放送局１０７の番組を視聴する契約を行っていない場合には、ＣＡＴＶ局１０１側はＣＳ放送局１０７の番組のスクランブルを解除する必要はない。あるいは、視聴者Ａがその特定のＣＳ放送局１０７の番組の視聴をＣＡＴＶ局１０１を介して契約していた場合であっても、そのＣＡＴＶ局１０１の使用料金を滞納してその使用に制限を受けているような場合には、ＣＡＴＶ局１０１側がＣＳ放送局１０７の番組の視聴に制限を加えることは当然考えられる。ＣＡＴＶ局１０１が独自に視聴制御情報を生成し管理すると、このような場合にＢＳ放送局１０６やＣＳ放送局１０７と視聴者Ａの間の関係に加えてＣＡＴＶ局１０１側の状況も加えた状態で、各視聴者の視聴を制御することができる。
【００５１】
多重化器１３４は、受信したディジタル放送波自体は加工せず、視聴制御情報１３６と放送波としてのトランポート・ストリーム１３３を多重化して、変調器１３９に送出する。変調器１３９は多重化信号１３８に対してＣＡＴＶ用の伝送路符号化と伝送チャネルに対応した変調を施して、送受信器１２０を構成する送信器１４１から伝送路１０３に送り出すことになる。このときの変調は、たとえば６４ＱＡＭ変調（ｑｕａｄｒａｔｕｒｅ  ａｍｐｌｉｔｕｄｅ  ｍｏｄｕｌａｔｉｏｎ；直交振幅変調）方式であってもよいし、２５６ＱＡＭ変調方式あるいはＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘ；直交周波数分割多重）方式であってもよい。
【００５２】
視聴者設備１０４１を所有する視聴者Ａの家庭では、そのホームターミナル１２３で多重化信号１５０を受信する。この多重化信号１５０は復調器１５２に入力され、ここで選局復調と伝送路復号化を行い、トランポート・ストリーム信号に復号する。この信号１５３はデスクランブラ１５４に供給される。デスクランブラ１５４は、受信側制御部１５５からデスクランブルする番組識別のためのＩＤとしてのＰＩＤと、デスクランブルするための鍵情報１５６を受け取る。そして、入力したトランポート・ストリーム内の指定されたＰＩＤのパケットのみをデスクランブル処理する。たとえば視聴者ＡがＣＡＴＶ局１０１を介して契約した特定のＢＳ放送局１０６の番組を視聴する場合には、その番組のパケットがデスクランブル処理される。
【００５３】
このデスクランブル処理された信号１５７は分離器１５８に入力される。分離器１５８は受信側制御部１５５からの指示によって信号１５７を映像や音声等の番組を構成する情報としての番組要素信号１５９と番組制御情報１６１とに分離する。分離された番組要素信号１５９は特定のＢＳ放送局１０６の番組の内容を表わした信号である。この番組要素信号１５９は復号器１６２に送られて、映像、音声等のベースバンド信号１６３に復号される。
【００５４】
受信側制御部１５５は、他メディアのディジタル放送に含まれている番組制御情報から視聴者Ａの契約している番組のパケットのＰＩＤとその番組のデスクランブル用の鍵を抜き出す。この例では特定のＢＳ放送局１０６の契約した番組のパケットのＰＩＤとその番組のデスクランブル用の鍵が取得されることになる。この抜き出された鍵はデスクランブラ１５４に送られて、復調器１５２を経た信号１５３の中の該当する番組のデスクランブル処理が継続して可能となる。
【００５５】
ところで受信側制御部１５５は図２の送信側制御部１３５から出力された視聴制御情報に含まれる加入者の契約情報の読み出しも行う。そして、その契約情報が視聴者Ａに対するその番組の視聴を可とするものであれば、番組要素信号１５９の再生を行わせる。これに対して、契約情報が視聴者Ａに対するその番組の視聴を可としないものであれば、番組要素信号１５９の再生における同期処理を行わない。したがって、後者の場合にはデスクランブル自体が行われていたとしても視聴者はその番組を視聴することができない。
【００５６】
発明の変形可能性
【００５７】
このように以上説明した実施例ではＢＳ放送局１０６から送られてきたディジタル放送波自体についてＣＡＴＶ局１０１側は何ら処理を行うことなく単にＣＡＴＶの伝送路１０３に送出するための変調を行うことにした。そして視聴者設備１０４１のホームターミナル１２３側でその番組の再生を行う際に、視聴制御情報１３６に基づいてＣＡＴＶ局１０１側独自に再生の同期処理を行うか否かによって番組の視聴を制限できるようにした。このような制御を行う代わりに、視聴者設備１０４１のホームターミナル１２３側の受信側制御部１５５で鍵情報をコントロールするようにしてもよい。この場合を次に説明する。
【００５８】
この変形例の場合も、番組制御情報１６１は受信側制御部１５５に入力される。受信側制御部１５５は図２の送信側制御部１３５から出力された視聴制御情報に含まれる加入者の契約情報を読み出す。そして、その契約情報が視聴者Ａに対する視聴を可とするものであれば、他メディアのディジタル放送に含まれている番組制御情報から視聴者Ａの契約している番組のパケットのＰＩＤとその番組のデスクランブル用の鍵を抜き出す。この例では特定のＢＳ放送局１０６の契約した番組のパケットのＰＩＤとその番組のデスクランブル用の鍵が取得されることになる。この抜き出された鍵はデスクランブラ１５４に送られて、復調器１５２を経た信号１５３の中の該当する番組のデスクランブル処理が継続して可能となる。したがって、視聴者ＡはそのＣＡＴＶ局１０１を介して特定のＢＳ放送局１０６のその番組の視聴を行うことができる。
【００５９】
これに対して、視聴制御情報に含まれる加入者の契約情報がこのＢＳ放送局１０６の契約した番組の視聴をＣＡＴＶ局１０１側で許さないとする内容であれば、受信側制御部１５５はその番組のデスクランブル用の鍵を抜き出さない。あるいは抜き出した鍵をデスクランブラ１５４に与えない。したがって、特定のＢＳ放送局１０６から視聴者Ａの視聴者設備１０４１に送られた多重化信号１５０自体に視聴者Ａ用の鍵が存在していたとしてもデスクランブラ１５４はこの番組のデスクランブル処理を行うことができず、視聴者Ａはモニタ１２４でその番組を視聴することができない。もちろん、視聴者Ａが他メディアと番組の契約を行っていない場合には、番組のデスクランブル用の鍵が送られてこないので、その番組を視聴できないことは当然である。
【００６０】
他の変形例
【００６１】
以上説明した実施例ではＣＡＴＶ局１０１で独自に付加する視聴制御情報を番組要素信号と同一のチャネルで送信する、いわゆるインバンド方式を採用している。この視聴制御情報を番組要素信号と異なったチャネルあるいは同一のケーブルで番組要素信号を送出する周波数帯とは別の周波数帯を使用して伝送するようにしてもよい。
【００６２】
図４は、先の実施例の図２に対応したもので、視聴制御情報を番組要素信号と異なったチャネルで送出するようにした、いわゆるアウトバンド方式によるＣＡＴＶ視聴制御システムのＣＡＴＶ局の回路構成を表わしたものである。この図４で図２と同一部分には同一の符号を付しており、これらの説明を適宜省略する。また、この変形例でも説明を簡単にするためにＢＳ放送局１０６と視聴者Ａとの関係を説明する。
【００６３】
この変形例では、送信側制御部１３５から出力される視聴制御情報をＭＰＥＧ２のトランポート・ストリームパケットの形式に変換した視聴制御情報１３６は、混合・変調部２１９内の変調器１３９とは別の変調器２３９に入力される。変調器２３９はこの視聴制御情報１３６に対してＣＡＴＶ用の伝送路符号化と異なった伝送チャネルに対応した変調を施こす。両変調器１３９、２３９の出力は混合器２２１で混合されて送信器１４１に送られ、それぞれ異なったチャネルとして伝送路１０３に送り出される。
【００６４】
図５は、先の実施例の図２に対応したもので、この変形例のホームターミナル側の構成を表わしたものである。ホームターミナル２２３には、図示しない保安器を経たＣＡＴＶの伝送路１５１に分配器２５１が接続されており、番組要素信号のチャネルと視聴制御情報のチャネルの分配が行われるようになっている。番組要素信号のチャネルの信号は復調器２５２に入力される。復調器２５２を経た信号１５３はデスクランブラ２５４に送られ、受信側制御部２５５から順次送られてくる鍵情報２５６によって暗号の切り替えに対応させて鍵を変えながらデスクランブル処理が行われる。このための鍵情報の抽出は、分配器２５１によって分配して出力された視聴制御情報のチャネルを復調するもう１つの復調器２５３が行う。デスクランブラ２５４によって処理された信号２５７は分離器２５８に入力される。分離器２５８は番組要素信号２５９を分離する。この番組要素信号２５９は復号器２６２に送られて、映像、音声等のベースバンド信号２６３に復号される。ベースバンド信号２６３はホームターミナル２２３から図１に示したテレビジョン等のモニタ１２４に入力されて映像や音声の再生が行われることになる。
【００６５】
以上説明した実施例および変形例では視聴制御情報を特に加工しないで伝送路に送出することにしたが、この視聴制御情報に暗号化を施してもよい。これにより、ＣＡＴＶ局１０１側のセキュリティを確保することが可能になる。
【００６６】
また、実施例ではＭＰＥＧ２を使用したディジタル放送について説明したが、これ以外の手法で伝送するディジタル放送についても本発明を同様に適用することが可能である。更に実施例ではＢＳ放送局１０６とＣＳ放送局１０７から衛星を使用して送られてくるメディアについて説明したが、インターネット、電話等の他の手段によってリアルタイムに伝送されてくるディジタル形式のあらゆるメディアあるいは一旦蓄積したあらゆるメディアに本発明を適用することができることは当然である。更に、本発明はディジタル信号を再送信する局をＣＡＴＶ局に限定するものでもない。要は、ネットワークを介してリアルタイムに送られてくるディジタル信号が何らかのコンテンツを示すものであり、視聴者が視聴を契約したコンテンツのみをその契約した視聴者に視聴させるための鍵情報を付加したスクランブルの施された信号であれば、同様に本発明を適用することができる。たとえばインターネットを介してあるサーバがリアルタイムに変化するコンテンツを配信していたような場合に、そのコンテンツを受信して送信局が自己のネットワークを通じて視聴者設備に再送信するような場合にも、その送信局独自の視聴制御を行う場合に本発明を適用することができる。
【００６７】
更に実施例ではネットワークを介してリアルタイムに送られてくるディジタル信号について説明したが、一度受信したディジタル信号をハードディスク、光ディスク等の記憶媒体に蓄積して、これから読み出したディジタル信号を視聴者設備に送信するようにしてもよいことは当然である。
【００６８】
【発明の効果】
以上説明したように請求項１および請求項３記載の発明によれば、有線あるいは無線のネットワークに接続されこのネットワークからリアルタイムに送られてくるメディアであって視聴者が視聴を契約したコンテンツのみをその契約した視聴者に視聴させるための鍵情報を付加したスクランブルの施されたディジタル信号を受信し視聴者設備に対して送信する送信局が、受信したディジタル信号を自局でデスクランブルしないで自局から視聴者の設備までを結ぶネットワークに送出するので、送信局でデスクランブルした後に再度スクランブルを行う必要がなく、そのための設備や本来メディア送出側が行う個々のスクランブルするコンテンツの特定等の手間に送信局側が再度煩わされるということがない。また、再度スクランブルを行う必要がないので、そのためのミスが発生することもない。しかも送信局側は各視聴者に対して送信局側の独自のネットワーク管理を行うことができるという利点がある。
【００６９】
また、請求項２および請求項４記載の発明によれば、リアルタイムに送られてくるメディアであって視聴者が視聴を契約した番組のみをその契約した視聴者に視聴させるための鍵情報を付加したスクランブルの施されたディジタルを受信し視聴者設備に対して送信するＣＡＴＶ局が、受信したディジタル信号を自局でデスクランブルしないで自局から視聴者の設備までを結ぶ伝送路に送出するので、ＣＡＴＶ局側でデスクランブルした後に再度スクランブルを行う必要がなく、そのための設備や本来メディア送出側が行う個々のスクランブルする番組の特定等の手間にＣＡＴＶ局側が再度煩わされるということがない。また、再度スクランブルを行う必要がないので、そのためのミスが発生することもない。しかもＣＡＴＶ局側は各視聴者に対してＣＡＴＶ局側の独自の伝送路管理を行うことができるという利点がある。
【００７０】
更に請求項１、請求項２、請求項５および請求項６記載の発明によれば、ディジタル信号受信手段によって受信したディジタル信号に対して自局の側で独自に視聴者ごとのコンテンツの視聴を制御するための視聴制御情報を多重して視聴者側に送出することにしたので、ネットワークあるいは伝送路の帯域を有効活用することができる。
【００７１】
また、請求項３、請求項４、請求項７および請求項８記載の発明によれば、ディジタル信号受信手段によって受信したディジタル信号と自局の側で独自に視聴者ごとのコンテンツの視聴を制御するための視聴制御情報とを別々の周波数帯域に割り当て自局から視聴者側に送出するようにしたので、受信側でこれらの信号の再生が容易であり、信頼性の高い視聴制御システムを実現することができる。
【００７２】
更に請求項５および請求項７記載の発明によれば、有線あるいは無線のネットワークに接続されこのネットワークから送られてくるメディアであって視聴者が視聴を契約したコンテンツのみをその契約した視聴者に視聴させるための鍵情報を付加したスクランブルの施されたディジタル信号を受信し一旦蓄積した後に視聴者設備に対して送信する送信局が、受信したディジタル信号を自局でデスクランブルしないで自局から視聴者の設備までを結ぶネットワークに送出するので、送信局でデスクランブルした後に再度スクランブルを行う必要がなく、そのための設備や本来メディア送出側が行う個々のスクランブルするコンテンツの特定等の手間に送信局側が再度煩わされるということがない。また、再度スクランブルを行う必要がないので、そのためのミスが発生することもない。しかも送信局側は各視聴者に対して送信局側の独自のネットワーク管理を行うことができるという利点がある。
【００７３】
また、請求項６および請求項８記載の発明によれば、メディアであって視聴者が視聴を契約した番組のみをその契約した視聴者に視聴させるための鍵情報を付加したスクランブルの施されたディジタルを受信し一旦蓄積した後に視聴者設備に対して送信するＣＡＴＶ局が、受信したディジタル信号を自局でデスクランブルしないで自局から視聴者の設備までを結ぶ伝送路に送出するので、ＣＡＴＶ局側でデスクランブルした後に再度スクランブルを行う必要がなく、そのための設備や本来メディア送出側が行う個々のスクランブルする番組の特定等の手間にＣＡＴＶ局側が再度煩わされるということがない。また、再度スクランブルを行う必要がないので、そのためのミスが発生することもない。しかもＣＡＴＶ局側は各視聴者に対してＣＡＴＶ局側の独自の伝送路管理を行うことができるという利点がある。
【図面の簡単な説明】
【図１】本発明の一実施例におけるＣＡＴＶ視聴制御システムの概要を表わしたシステム構成図である。
【図２】本実施例のＣＡＴＶ局の回路構成を表わしたブロック図である。
【図３】本実施例におけるホームターミナル側の構成を表わしたブロック図である。
【図４】本発明の変形例におけるＣＡＴＶ局の回路構成を表わしたブロック図である。
【図５】本発明の変形例におけるホームターミナル側の構成を表わしたブロック図である。
【符号の説明】
１０１  ＣＡＴＶ局
１０３  伝送路
１０４  視聴者設備
１０６  ＢＳ放送局
１０７  ＣＳ放送局
１１１  放送衛星
１１２  ＢＳ用受信アンテナ
１１３  通信衛星
１１４  ＣＳ用受信アンテナ
１１９、２１９  混合・変調部
１２０  送受信器
１２３  ホームターミナル
１２４  モニタ
１３２  受信器
１３４  多重化器
１３５  送信側制御部
１３６  視聴制御情報
１３９、２３９  変調器
１５２、２５２、２５３  復調器
１５４、２５４  デスクランブラ
１５５、２５５  受信側制御部
１５８、２５８  分離器
１６２、２６２  復号器
２５１  分配器
【図１】
0003607560.tif 000002
【図２】
0003607560.tif 000003
【図３】
0003607560.tif 000004
【図４】
0003607560.tif 000005
【図５】
0003607560.tif 000006